(57)【要約】【課題】必要なときにある程度の時間継続して揮散できる揮散容器を提供する。【解決手段】揮散容器1は、揮発性内容物Mが充填されて押し潰しによる破壊が可能な揮散剤カプセル20と、カプセル20が収容される収容部S1を有して底壁2dにカプセル20を落下させる本体2と、カプセル20の落下を案内する第1案内板3と、第1案内板3と対向する位置に配置されてカプセル20の落下を案内するとともに貫通孔6a-6cが形成された第2案内板6と、貫通孔6a-6cから突出させてカプセル20を押し潰すことができる突起8a-8cと、突起8a-8cを引っ込める向きに付勢する第2付勢部材10とを備える。【選択図】図４
2014198587.tif 000002
【特許請求の範囲】
【請求項１】
揮発性を有する内容物が充填されて押し潰しによる破壊が可能な充填カプセルと、
通気孔が形成された少なくとも１つの側壁と少なくとも１つの前記充填カプセルが収容される収容部を有して当該収容部の底壁に前記充填カプセルを落下させる開口部が形成された本体と、
前記充填カプセルの落下を案内する第１の案内板と、
前記第１の案内板と対向する位置に配置されて前記充填カプセルの落下を案内するとともに少なくとも１つの貫通孔が形成された第２の案内板と、
前記第２の案内板に形成された少なくとも１つの前記貫通孔から出し入れすることができるとともに前記貫通孔から突出させて前記充填カプセルを押し潰すことができる少なくとも１つの突起と、
前記突起を引っ込める向きに付勢する第２の付勢部材とを備える、揮散容器。
【請求項２】
請求項１において、
前記突起は、膨出部を有し、
前記第２の案内板は、前記本体に対して自由に動けるように設けられているとともに、
前記突起の、前記第２の案内板に対する引っ込み量を制限して当該第２の案内板に対する前記突起の初期位置を規定する引っ込み量制限部と、前記突起の、前記第２の案内板に対する突出量を制限して当該第２の案内板に対する前記突起の最大突出量を制限する最大突出量制限部とを備える、揮散容器。
【請求項３】
請求項１または２において、
少なくとも前記第２の案内板は、前記第１の案内板と対向する面が下向き傾斜するものである、揮散容器。
【請求項４】
請求項１乃至３のいずれか１項において、
前記第１の案内板は、前記第２の案内板に向かって付勢力を与える第１の付勢部材を有するものであるとともに、
前記突起が突出する前の位置にあるときに、前記第１の案内板の下部と前記第２の案内板の下部との間は、前記充填カプセルを載せ置けるとともに当該充填カプセルの破壊によって生じた残渣を取り出せる第１の隙間を形成し、
前記突起が前記充填カプセルを押し潰して破壊したときに、前記第１の案内板の下部と前記第２の案内板の下部との間は、前記充填カプセルから取り出される前記内容物を通す第２の隙間を形成し、
前記本体は、前記第２の隙間を通して取り出された前記内容物を保持する内容物保持部材と、前記第１の隙間を通して取り出された前記残渣を収容するケースとを備える、揮散容器。
【発明の詳細な説明】
【技術分野】
【０００１】
本発明は、揮散容器に関するものである。
【背景技術】
【０００２】
従来の揮散容器としては、例えば、蓋を任意の角度で開くことにより、揮発性を有する内容物（例えば、芳香剤）を常に少量ずつ気化させて、大気中に揮散させる構成のもの（例えば、特許文献１参照）や、噴霧ボタンを押した時間だけ、内容物を大気中に揮散させる構成のもの（例えば、特許文献２参照）が挙げられる。
【先行技術文献】
【特許文献】
【０００３】
【特許文献１】特許第３７４４５６３号公報
【特許文献２】特開２００１−７２１５１号公報
【発明の概要】
【発明が解決しようとする課題】
【０００４】
しかしながら、上記従来の揮散容器のうち、前者の揮散容器では、蓋を一旦開いてしまうと、揮散が不要な場合であっても揮散が継続的に行われるため、気化薬剤などの揮発性を有する内容物が無駄に消費される場合がある。また、後者の揮散容器では、揮散が一時的なものであるため、ある程度の時間持続して揮散させたい場合には、ボタンを押し続けるなどする必要があり、不便あった。
【０００５】
本発明の目的とするところは、無駄な揮散を防止しつつ、必要なときには簡便に、ある程度の時間継続して揮散を行うことができる、新規な揮散容器を提供することにある。
【課題を解決するための手段】
【０００６】
本発明の揮散容器は、揮発性を有する内容物が充填されて押し潰しによる破壊が可能な充填カプセルと、
通気孔が形成された少なくとも１つの側壁と少なくとも１つの前記充填カプセルが収容される収容部を有して当該収容部の底壁に前記充填カプセルを落下させる開口部が形成された本体と、
前記充填カプセルの落下を案内する第１の案内板と、
前記第１の案内板と対向する位置に配置されて前記充填カプセルの落下を案内するとともに少なくとも１つの貫通孔が形成された第２の案内板と、
前記第２の案内板に形成された少なくとも１つの前記貫通孔から出し入れすることができるとともに前記貫通孔から突出させて前記充填カプセルを押し潰すことができる少なくとも１つの突起と、
前記突起を引っ込める向きに付勢する第２の付勢部材とを備える。
【０００７】
前記突起は、膨出部を有し、
前記第２の案内板は、前記本体に対して自由に動けるように設けられているとともに、
前記突起の、前記第２の案内板に対する引っ込み量を制限して当該第２の案内板に対する前記突起の初期位置を規定する引っ込み量制限部と、前記突起の、前記第２の案内板に対する突出量を制限して当該第２の案内板に対する前記突起の最大突出量を制限する最大突出量制限部とを備えるものとすることができる。
【０００８】
前記第１の案内板と前記第２の案内板は、互いに平行かつ傾斜するように配置することができる。
【０００９】
また、本発明では、前記第１の案内板は、前記第２の案内板に向かって付勢力を与える第１の付勢部材を有するものであり、
前記突起が突出する前の位置にあるときに、前記第１の案内板の下部と前記第２の案内板の下部との間は、前記充填カプセルを載せ置けるとともに当該充填カプセルの破壊によって生じた残渣を取り出せる第１の隙間を形成し、
前記突起が前記充填カプセルを押し潰して破壊したときに、前記第１の案内板の下部と前記第２の案内板の下部との間は、前記充填カプセルから取り出される前記内容物を通す第２の隙間を形成し、
前記本体は、前記第２の隙間を通して取り出された前記内容物を保持する内容物保持部材と、前記第１の隙間を通して取り出された前記残渣を収容するケースとを備えることが好ましい。
【発明の効果】
【００１０】
本発明では、第２の案内板に形成された貫通孔から突起を突出させることにより、第１の案内板と第２の案内板との間に配置された充填カプセルを押し潰して破壊することができる。このため、充填カプセルから取り出した内容物を不織布などで保持することで、無駄な揮散を防止しつつ、必要なときには、ある程度の時間継続して揮散を行うことができる。
【００１１】
また、押し潰しによって生じた充填カプセルの残渣が前記突起に張り付いた場合、次の操作で充填カプセルを潰そうしたとき、充填カプセルを上手く潰せないことが考えられる。しかしながら、本発明では、突起に付いた残渣は、突起を第２の案内板に対して引っ込めることにより、突起８ａ〜８ｃから掻き出すことができる。このため、本発明では、充填カプセルの押し潰しを繰り返して行っても、安定した押し潰しが可能になる。
【００１２】
従って、本発明によれば、充填カプセルを適宜破壊して、揮発性を有する内容物を取り出すことにより、無駄な揮散を防止しつつ、必要なときには、ある程度の時間継続して揮散を行うことができる。
【図面の簡単な説明】
【００１３】
【図１】（ａ）は、本発明に従う、揮散容器の第１実施形態を示す正面図であり、（ｂ）は、図１（ａ）の背面図である。
【図２】本発明に従う、揮散容器の第１実施形態に係る、突起が初期位置にあるときの状態を、図１（ａ）の縦断面で示す断面図である。
【図３】本発明に従う、揮散容器の第１実施形態に係る、突起を突出させることで、揮散剤カプセルを破壊して揮散剤を揮散体に含浸させている状態を、図１（ａ）の縦断面で示す断面図である。
【図４】本発明に従う、揮散容器の第１実施形態に係る、突起が初期位置に向かって引っ込みを開始した直後の状態を、図１（ａ）の縦断面で示す断面図である。
【図５】本発明に従う、揮散容器の第１実施形態に係る、突起が初期位置に復帰して揮散剤カプセルの残渣がケース内に分別回収される状態を、図１（ａ）の縦断面で示す断面図である。
【図６】（ａ）は、本発明に従う、揮散容器の第１案内板の一例を上方から示す平面図であり、（ｂ）は、（ａ）の側面図である。
【図７】（ａ）は、本発明に従う、揮散容器の第１実施形態に係る、突起を第２案内板とともに示す正面図であり、（ｂ）は、本発明に従う、揮散剤容器の第２実施形態に係る、突起を第２案内板とともに示す正面図である。
【図８】本発明に従う、揮散容器の第２実施形態であって、その突起が初期位置にあるときの状態を、図１（ａ）の縦断面に相当する断面で示す断面図である。
【図９】本発明に従う、揮散容器の第２実施形態に係る突起を突出させることで、揮散剤カプセルを破壊して芳香剤を揮散体に含浸させている状態を、図１（ａ）の縦断面に相当する断面で示す断面図である。
【図１０】本発明に従う、揮散容器の第２実施形態に係る突起が初期位置に向かって引っ込みを開始した直後の状態を、図１（ａ）の縦断面に相当する断面で示す断面図である。
【図１１】本発明に従う、揮散容器の第２実施形態に係る突起が初期位置に復帰して揮散剤カプセルの残渣がケース内に分別回収される状態を、図１（ａ）の縦断面に相当する断面で示す断面図である。
【図１２】本発明に従う、揮散容器の第３実施形態であって、その突起が初期位置に復帰して揮散剤カプセルの残渣がケース内に分別回収される状態を、図１（ａ）の縦断面に相当する断面で示す断面図である。
【図１３】本発明に従う、揮散容器の第４実施形態であって、その突起が初期位置に復帰して揮散剤カプセルの残渣がケース内に分別回収される状態を、図１（ａ）の縦断面に相当する断面で示す断面図である。
【図１４】（ａ）〜（ｄ）はそれぞれ、本発明に従う、揮散容器に係る突起の他の例を第２案内板とともに示す正面図である。
【発明を実施するための形態】
【００１４】
以下、図面を参照して、本発明に従う、揮散容器の様々な実施形態を詳細に説明する。
【００１５】
図１（ａ），（ｂ）中、符号１Ａは、本発明に従う、揮散容器の第１実施形態であり、符号２は、合成樹脂製の本体である。図１（ａ）中、符号２ａは、前方に配置された薄板状の側壁である。また図１（ｂ）中、符号２ｂは、後方に配置された薄板状の側壁である。側壁２ａと側壁２ｂとは、左右両方に配置された薄板状の側壁２ｃによって一体に設けられている。揮散容器１Ａでは、側壁２ａおよび側壁２ｂは、側壁２ｃよりも狭い幅で構成されている。これにより、側壁２ａ〜側壁２ｃの内側には、図２に示すように、前後方向に長い矩形の角柱空間が形成されている。
【００１６】
図２中、符号２０は、揮散剤カプセル（充填カプセル）である。揮散剤カプセル２０は、押し潰しにより破壊可能な外殻（カプセル）の内側に、揮散剤（揮発性を有する内容物）Ｍが充填されている。揮散剤Ｍは、例えば、外殻を破壊することで揮散（気化による拡散）しやすくなる性質を有する内容物である。具体的には、揮散剤Ｍは、芳香剤、空気清涼剤、脱臭剤、消臭剤、悪臭中和剤、殺虫剤、防虫剤、忌避剤、薬物、消毒剤、殺菌剤、興奮剤、アロマテラピー組成物等の揮散可能な内容物が挙げられる。また揮散剤Ｍの形態は、液状、粒状、ゼリー状のもの等、様々な形態を採用することができる。揮散剤カプセル２０の外観形状も、揮散容器１Ａでは球形に形作られているが、通常のカプセルのような円筒形のもの等、様々な外観形状を採用することができる。さらに、外殻は、固形状は勿論、例えば比較的軟らかいフィルム状等とすることもできる。
【００１７】
揮散容器１Ａの本体２は、揮散剤カプセル２０が収容される収容部Ｓ1を有する。収容部Ｓ1は、本体２の内側に設けられた仕切壁２ｄを底壁として、本体２の内側上方に配置されている。仕切壁２ｄには、揮散剤カプセル２０を落下させる開口部Ａ1が形成されている。揮散容器１Ａでは、図２に示すように、仕切壁２ｄの一部が開口部Ａ1に向かってすり鉢状に形成されている。
【００１８】
符号３は、合成樹脂製の第１案内板（第１の案内板）である。第１案内板３は、側壁２ｂの内面側に固定されている。第１案内板３は、側壁２ｂの内面と対向する向きに付勢力を与える第１付勢部材（第１の付勢部材）４を有して、揮散剤カプセル２０の落下を、第１付勢部材４と対向する側に案内する。すなわち、第１付勢部材４は、第１案内板３を、図２に示すように、側壁２ｂの内面と対向する向きに付勢することにより、後述する操作部材Ｂを押し込む前の初期位置に位置決めする。これにより、第１案内板３は、揮散剤カプセル２０の落下を弾性的に案内する。
【００１９】
図２に示すように、揮散容器１Ａでは、第１案内板３は、２つの揮散剤カプセル２０を案内する。ただし、第１案内板３が案内する揮散剤カプセル２０の個数は、これに限定されるものではなく、少なくとも、１つの揮散剤カプセル２０を案内できるものであればよい。また、揮散容器１Ａでは、第１案内板３は、揮散剤カプセル２０との接触面３ｆが、図６（ａ）に示すように、揮散剤カプセル２０の外観形状に沿ったＣ字断面形状の湾曲面で構成されている。ただし、接触面３ｆの形状は、湾曲面に限定されるものではなく、例えば、コの字断面形状のもの等、様々な形態のものを採用することができる。また、揮散容器１Ａでは、第１案内板３の下部が、受け部３ｃに構成されている。受け部３ｃは、図６（ａ）に示すように、左右に間隔を置いて配置された２つの張り出し部３ｃ1として構成されている。 張り出し部３ｃ1の間では、揮散剤カプセル２０を載せ置くことができるとともに、揮散剤カプセル２０を破壊したとき、揮散剤カプセル２０から取り出された揮散剤Ｍを下方に落下させることができる。
【００２０】
第１付勢部材４は、第１案内板３を側壁２ｂの内面に向かって押し込んだとき、この第１案内板３に側壁２ｂの内面と対向する向きに付勢力を与える。揮散容器１Ａでは、第１付勢部材４は、変形および復元が可能な２つの板ばね部材４ａを対向配置することで構成されている。ただし、第１付勢部材４は、第１案内板３に側壁２ｂの内面と対向する向きに付勢力を与えられる形態であれば、板ばね部材に限定されるものではない。なお、揮散容器１Ａでは、第１案内板３は、その背面（側壁２ｂの内面側の面）に、ストッパ３ａが一体に設けられている。ストッパ３ａは、接触により第１案内板３の押込み量を制限する。
【００２１】
さらに揮散容器１Ａでは、第１案内板３は、第１付勢部材４を介して固定部５を一体に有する。揮散容器１Ａでは、固定部５は、固定部５の上端を開口させるスリット５ａを有している。加えて、固定部５は、その背面（側壁２ｂの内面側の面）に嵌合突起５ｂが設けられている。これにより、固定部５は、図２に示すように、本体２の仕切壁２ｄから一体に垂下する支持板２ｅをスリット５ａに挿入するとともに、側壁２ｂに形成した嵌合孔２ｎに嵌合突起５ｂを嵌合させれば、本体２の側壁２ｂの内面に保持固定することができる。また、揮散容器１Ａでは、第１案内板３の押込み量は、そのストッパ３ａが固定部５と接触することによって制限される。
【００２２】
符号６は、合成樹脂製の第２案内板（第２の案内板）である。図２に示すように、揮散容器１Ａでは、第２案内板６は、本体２の仕切壁２ｄから一体に垂下する縦壁２ｗとして設けられている。第２案内板６は、揮散剤カプセル２０が接触する接触面６ｆを有する。接触面６ｆは、第１案内板３の接触面３ｆと対向する位置に、間隔を置いて配置されている。これにより、第２案内板６は、図２に示すように、第１案内板３との間で、揮散剤カプセル２０の落下を第１案内板３側に案内する。なお、第２案内板６も、図２に示すように、２つの揮散剤カプセル２０を案内するが、第１案内板３と同様、少なくとも１つの揮散剤カプセル２０を案内できるものであればよい。
【００２３】
加えて、第２案内板６（本体２の縦壁２ｗ）は、本体２の側壁２ａ側に開口するシリンダ２ｓが一体に設けられている。第２案内板６には、図７（ａ）に示すように、シリンダ２ｓの内周面２ｆよりも内側に、複数の貫通孔６ａ〜６ｃが形成されている。揮散容器１Ａでは、第２案内板６の接触面６ｆは、図７（ａ）に示すように、平坦面で構成されている。貫通孔６ａは、上下方向に間隔を置いて配置されている。貫通孔６ａは、横幅の長い直線状の形状をして、４箇所の位置に形成されている。貫通孔６ｂは、貫通孔６ａの上方に間隔を置いて配置されている。貫通孔６ｂは、シリンダ２ｓの内周面２ｆに沿って湾曲した円弧形状をしている。貫通孔６ｂは、貫通孔６ａよりも横幅が短く、その二等分線が貫通孔６ａの二等分線と整列するように、１箇所の位置に形成されている。貫通孔６ｃは、貫通孔６ａの下方に間隔を置いて配置されている。貫通孔６ｃは、シリンダ２ｓの内周面２ｆに沿って湾曲した円弧形状をしている。貫通孔６ｃは、貫通孔６ａよりも横幅が短く、貫通孔６ａの二等分線を挟んで対向するように、２箇所の位置に形成されている。
【００２４】
次いで図２中、符号７は、第２案内板６を挟んで、第１案内板３と対向する位置に配置される合成樹脂製のピストン部材である。ピストン部材７は、シリンダ２ｓの内側に配置されるベース７ａを有し、このベース７ａの外縁には、本体２の側壁２ａ側に開口する周壁７ｂが一体に設けられている。周壁７ｂには、シリンダ２ｓの内周面２ｆを摺動可能な環状シール部７ｃが一体に設けられている。これにより、ピストン部材７は、シリンダ２ｓの内側をスライドさせることができる。
【００２５】
また、ピストン部材７は、ベース７ａに、第２案内板６に向かって指向する複数の突起８ａ〜８ｃが一体に設けられている。突起８ａ〜８ｃは、第２案内板６に形成した貫通孔６ａ〜６ｃを出し入れ可能に貫通する。揮散容器１Ａでは、突起８ａは、図７（ａ）に示すように、横幅の長い直線状の形状をして、上下方向に間隔を置いて配置されている。突起８ａは、第２案内板６に形成した貫通孔６ａに対応して、４箇所の位置に形成されている。突起８ｂは、図７（ａ）に示すように、ピストン部材７の周壁７ｂに沿って湾曲した円弧形状をして、突起８ａの上方に間隔を置いて配置されている。突起８ｂは、突起８ａよりも横幅が短く、貫通孔６ｂに対応して、１箇所の位置に形成されている。突起８ｃは、図７（ａ）に示すように、シリンダ２ｓの内周面２ｆに沿って湾曲した円弧形状をして、突起８ａの下方に間隔を置いて配置されている。突起８ｃは、突起８ａよりも横幅が短く、貫通孔６ｃに対応して、２箇所の位置に形成されている。
【００２６】
加えて、ピストン部材７は、図２に示すように、押圧部材９に固定保持されている。揮散容器１Ａでは、ピストン部材７は、ベース７ａに軸部７ｄが一体に設けられている。軸部７ｄは、押圧部材９に形成された嵌合孔９ａに固定保持されている。押圧部材９は、本体２の側壁２ａに形成された開口部を貫通する。押圧部材９を押し込めば、ピストン部材７が第２案内板６に向かって移動するため、第２案内板６に形成した貫通孔６ａ〜６ｃから突起８ａ〜８ｃを突出させることができる。突起８ａ〜８ｃは、揮散剤カプセル２０を第１案内板３に押し付けたのち、第１案内板３との間で揮散剤カプセル２０を押し潰して破壊するまで突出させることができる。これにより、押圧部材９を押し込めば、第１案内板３と第２案内板６との間に配置された揮散剤カプセル２０を突起８ａ〜８ｃによって押し潰して破壊することができる。
【００２７】
なお、揮散容器１Ａでは、ピストン部材７のベース７ａは、円板形状に形作られている。このため、揮散容器１Ａでは、図７（ａ）に示すように、シリンダ２ｓは、ピストン部材７を取り囲む円板形状に形作られている。ただし、シリンダ２ｓとピストン部材７の外観形状については、円板形状に限定されるものではない。すなわち、シリンダ２ｓとピストン部材７の外観形状は、突起８ａ〜８ｃを貫通孔６ａ〜６ｃから突出させることができる形状であれば、様々な形状を採用することができる。また、揮散容器１Ａでは、押圧部材９は、図１（ａ）に示すように、その正面形状が角形に形作られている。ただし、押圧部材９の外観形状は、ピストン部材７を第２案内板６に向かってスライドさせることができる形状であれば、これに限定されるものではない。さらに揮散容器１Ａでは、押圧部材９は、ピストン部材７と別体として組み付けられているが、一体に構成することができる。
【００２８】
図２中、符号１０は、本体２と押圧部材９との間に配置された第２付勢部材（第２の付勢部材）である。第２付勢部材１０は、図２に示すように、押圧部材９を介して、貫通孔６ａ〜６ｃから突出した突起８ａ〜８ｃを引っ込める向きに付勢する。これにより、第２付勢部材１０は、図２に示すように、突起８ａ〜８ｃを突出させる前の初期位置に位置決めする。第２付勢部材１０を設けたことにより、押圧部材９を第２付勢部材１０の付勢力に抗して押し込んだのち、この押し込みを解除すれば、突起８ａ〜８ｃを第２案内板６に対して自動的に、図２に示す初期位置に復帰させることができる。揮散容器１Ａでは、第２付勢部材１０は、本体２と押圧部材９との間に配置されたリターンスプリングで構成されている。
【００２９】
また、揮散容器１Ａでは、押圧部材９が初期位置にあるときは、図２に示すように、ピストン部材７に設けた突起８ａ，８ｂは、その先端部が第２案内板６の接触面６ｆと同一面になるように引っ込んだ状態にある一方、ピストン部材７の下部に設けた突起８ｃは、第２案内板６に形成された貫通孔６ｃから予め所定量だけ突出するように構成されている。この場合、第２案内板６から突出した突起８ｃは、図２に示すように、揮散剤カプセル２０を載せ置く受け部として機能する。揮散容器１Ａでは、突起８ｃは、図７（ａ）に示すように、左右に間隔を置いて配置されている。２つの突起８ｃの間では、揮散剤カプセル２０を載せ置くことができる。 
【００３０】
なお、突起８ｃが予め突出している量（所定量）は、揮散剤カプセル容器１Ｂの用途、揮散剤カプセル２０の大きさや外殻の厚みなどに応じて、適宜、設定することができる。また、このときの突起８ａおよび８ｂについても、貫通孔６ａおよび６ｂ内に引っ込んだ状態にしておく等、適宜、設定することができる。さらに、押圧部材９を操作して第２案内板６から突出させたときの突起８ａ〜８ｃの突出量についても、突起８ａ〜８ｃが初期位置にあるときの、第１案内板３と第２案内板６との間の距離、揮散剤カプセル容器１Ｂの用途、揮散剤カプセル２０の大きさや外殻の厚みなどに応じて、適宜、設定することができる。
【００３１】
また、揮散容器１Ａでは、突起８ｃは、図２に示すように、第１案内板３の張り出し部３ｃ1よりも上側に配置されている。従って、突起８ｃは、押圧部材９を押込んで突出させたとき、図３に示すように、第１案内板３の張り出し部３ｃ1の上側で、張り出し部３ｃ1とオーバーラップする。第１案内板３の張り出し部３ｃ1と突起８ｃとは、互いにオーバーラップしたとき、揮散剤カプセル２０から取り出される揮散剤Ｍを通す第２の隙間Ｃ2を形成する。これにより、図３に示すように、揮散剤カプセル２０から取り出された揮散剤Ｍを下方に落下させることができるとともに、揮散剤カプセル２０の破壊によって生じた揮散剤カプセル２０の残渣２０ｒが落下しないように保持することができる。
【００３２】
さらに、揮散容器１Ａでは、図２に示すように、押圧部材９が初期位置（押圧部材９を操作することで突起８ａ，８ｂが突出する前の位置）にあるときに、第１案内板３の下部に設けた張り出し部３ｃ1と第２案内板６の下部から突出する突起８ｃとの間には、第１の隙間Ｃ1が形成される。第１の隙間Ｃ1は、図２に示すように、揮散剤カプセル２０を載せ置くことができる間隔であるとともに、図５に示すように、揮散剤カプセル２０を押し潰して破壊したときに生じた揮散剤カプセル２０の残渣２０ｒを下方に落下させることができる。
【００３３】
図２中、符号１１は、揮散体（内容物保持部材）である。揮散体１１は、揮散剤カプセル２０が破壊されたとき、揮散剤カプセル２０から取り出された揮散剤Ｍを外気に晒された状態で保持する。揮散体１１は、揮散剤カプセル２０から取り出された液体、粒体、粉体等を含む揮散剤Ｍを含浸または載置することができる。揮散体１１としては、例えば、板状の不織布や、スポンジ体等の多孔質材料が挙げられる。
【００３４】
揮散剤１Ａでは、揮散体１１は、図２に示すように、第１付勢部材４の真下の位置に配置されている。さらに詳細には、図３に示すように、揮散体１１は、押圧部材９を第２付勢部材１０の付勢力に抗して押し込んで、揮散剤カプセル２０を押し潰して破壊したとき、揮散剤Ｍが滴下する位置に配置されている。揮散容器１Ａでは、揮散体１１は、本体２の側壁２ｂおよび側壁２ｃの内面に設けられた複数の突条２ｒによって支持されている。
【００３５】
また、図１（ｂ）に示すように、揮散容器１Ａでは、本体２の側壁２ｂに、複数の通気孔２ｈが形成されている。これにより、揮散体１１から気化した揮散剤Ｍは、通気孔２ｈを通して大気中に揮散させることができる。さらに、揮散容器１Ａでは、側壁２ｂの下端に、切り欠き２ｉが形成されている。これにより、気化した揮散剤Ｍは、切り欠き２ｉからも揮散するため、揮散剤Ｍを大気中にさらに広く揮散させることができる。
【００３６】
さらに、図１（ａ）中、符号１２は、本体２に収納された合成樹脂製のケースである。ケース１２は、図５に示すように、第１の隙間Ｃ1を通して落下した揮散剤カプセル２０の残渣２０ｒを収容する。ケース１２は、上端開口部Ａ2を有し、この上端開口部Ａ2を通して残渣２０ｒを収容空間Ｓ2に回収する。揮散容器１Ａでは、ケース１２は、押圧部材９の真下の位置に配置されている。さらに詳細には、図５に示すように、押圧部材９の押し込みを解除して突起８ａ〜８ｃを初期位置に復帰させたときに、残渣２０ｒが落下するように、第１の隙間Ｃ1の真下の位置に、ケース１２の上端開口部Ａ2が位置するように配置されている。
【００３７】
またケース１２は、把持部１２ａを有し、本体２の側壁２ｃの内面に沿ってスライドさせることにより、本体２に対して出し入れすることができるように構成されている。ケース１２をスライドさせる手段としては、例えば、ケース１２の側壁外面および本体２の側壁２ｃ内面にそれぞれ、長溝とこの長溝に沿ってスライド可能に嵌合する凸部等の、既知の手段を採用することができる。
【００３８】
また、図２中、符号１３は、合成樹脂製の蓋体である。蓋体１３は、本体２の収容部Ｓ1を取り外し可能に閉じる。揮散容器１Ａでは、蓋体１３は、本体２との合わせ面に、環状溝１３ａが形成されている。環状溝１３ａは、本体２の側壁２ａ〜２ｃの上端部に取り外し可能に嵌合することで、収容部Ｓ1の上端開口を密封する。さらに、蓋体１３の外周面には、この外周面を周回する環状外向き突起１３ｂが設けられている。
【００３９】
符号１４は、合成樹脂製のオーバーカバーである。オーバーカバー１４は、蓋体１３の上側に配置される天壁１４ａと、この天壁１４ａから一体に垂下する周壁１４ｂとを有する。周壁１４ｂの内周面は、蓋体１３の環状外向き突起１３ｂにスライド可能に接触する。さらに、周壁１４ｂの下端部１４ｃは、押圧部材９に設けた傾斜リブ９ｂの傾斜面９ｃに接触させることができる。これにより、オーバーカバー１４を押し下げると、突起８ａ〜８ｃを第２付勢部材１０の付勢力に抗して第２案内板６の貫通孔６ａ〜６ｃから突出させることができる。
【００４０】
加えて、オーバーカバー１４の周壁１４ｂの内周面には、この内周面を周回する環状内向き突起１４ｄが設けられている。オーバーカバー１４は、第２付勢部材１０の付勢力によって、その初期位置が図２に示すように、本体２の上方に位置決めされている。オーバーカバー１４が初期位置にあるとき、図２に示すように、環状内向き突起１４ｄは、蓋体１３の環状外向き突起１３ｂに引っ掛かっている。これにより、オーバーカバー１４は、蓋体１３を介して本体２に、スライド可能に保持されている。また、オーバーカバー１４の位置は、その押し込みを解除すると、第２付勢部材１０の付勢力（復元力）によって、図２に示す初期位置に復帰させることができる。
【００４１】
次に、図面を参照して、揮散容器１Ａの使用方法を説明する。
【００４２】
揮散容器１Ａの収容部Ｓ1には、図２に示すように、複数の揮散剤カプセル２０が充填されている。第１案内板３と第２案内板６との間には、２つの揮散剤カプセル２０が第１案内板３に設けた張り出し部３ｃ1と第２案内板６の貫通孔６ｃから突出する突起８ｃによって上下に積み重ねに載置されている。大気中に揮散剤Ｍを揮散させたいとき、使用者はまず、図２に示す初期位置からオーバーカバー１４を矢印に示す方向に押し下げる。
【００４３】
すると、オーバーカバー１４の端部１４ｃが、押圧部材９に設けた傾斜リブ９ｂの傾斜面９ｃに接触することにより、図３の矢印に示すように、突起８ａ〜８ｃが第２付勢部材１０の付勢力に抗して第２案内板６の貫通孔６ａ〜６ｃから突出する。突起８ａ〜８ｃの先端はそれぞれ、揮散剤カプセル２０を第１付勢部材４の付勢力に抗して第１案内板３の接触面３ｆに押し付けたのち、第１案内板３との間で揮散剤カプセル２０を押し潰して破壊するまで突出する。このように、押圧部材９を押し込めば、図３に示すように、第１案内板３と第２案内板６との間に配置された揮散剤カプセル２０を、突起８ａ〜８ｃによって押し潰して破壊することができる。
【００４４】
破壊された揮散剤カプセル２０からは、図３に示すように、揮散剤Ｍが第２の隙間Ｃ2を通して落下することにより揮散体１１に含浸または載置される。これにより、揮散剤Ｍは、本体２の側壁２ｂに形成された通気孔２ｈおよび切り欠き２ｉを通して、ある程度の時間継続して大気中に揮散させることができる。
【００４５】
このように、オーバーカバー１４を押し込んで、第２案内板６から突起８ａ〜８ｃを突出させれば、第１案内板３と第２案内板６との間に配置された揮散剤カプセル２０を押し潰して破壊することができる。このため、揮散剤カプセル２０から取り出した揮散剤Ｍを不織布などの揮散体１１で保持することで、無駄な揮散を防止しつつ、必要なときには、ある程度の時間継続して揮散を行うことができる。
【００４６】
なお、揮散容器１Ａでは、突起８ａ〜８ｃの突出は、図３に示すように、押圧部材９が本体２のシリンダ２ｓの端部に接触するまで行うことができる。これに対し、第１案内板３の移動は、図３に示すように、ストッパ３ａが固定部５に接触するまで行うことができる。
【００４７】
オーバーカバー１４の押し込みを解除すると、図４の矢印に示すように、押圧部材９が、第２付勢部材１０の付勢力によって押し込み前の初期位置に向かって移動するため、突起８ａ〜８ｃの引っ込みも併せて開始される。このとき、押し潰しによって生じた揮散剤カプセル２０の残渣２０ｒが突起８ａ〜８ｃに張り付いた場合も、突起８ａ〜８ｃに張り付いた残渣２０ｒは、突起８ａ〜８ｃが第２案内板６に対して引っ込んだのち、第２案内板６の接触面６ｆに接触することで、あるいは、第２案内板６の接触面６ｆに接触したのち、突起８ａ〜８ｃが第２案内板６に対して引っ込むことで、図５に示すように、突起８ａ〜８ｃから掻き出すことができる。このため、揮散容器１Ａでは、揮散剤カプセル２０の押し潰しを繰り返して行っても、安定した押し潰しが可能になる。
【００４８】
また、オーバーカバー１４の押し込みが解除されると、第１案内板３は、第１付勢部材４の付勢力によって押し込み前の初期位置に向かって移動を開始する。このように、オーバーカバー１４の押し込みを解除して、突起８ａ〜８ｃを初期位置に復帰させるとともに、第１案内板３を初期位置に復帰させれば、第１案内板３の張り出し部３ｃ1と突起８ｃとの間には、図５に示すように、第１の隙間Ｃ1が形成される。これにより、揮散剤カプセル２０の残渣２０ｒは、第１の隙間Ｃ1を通して落下することで、図５に示すように、ケース１２に分別回収することができる。ケース１２内に回収された残渣２０ｒは、本体２からケース１２をスライドさせることにより、ケース１２から取り出すことができる。
【００４９】
また、残渣２０ｒがケース１２内に回収されたのちは、本体２の仕切壁２ｄの一部が開口部Ａ1に向かってすり鉢状に形成されているため、収容部Ｓ1内の揮散剤カプセル２０は、自重によって、開口部Ａ1まで移動したのち、開口部Ａ1を通って、第１案内板３と第２案内板６との間に自動的に充填される。また、オーバーカバー１４の押し込みを解除した後は、オーバーカバー１４の端部１４ｃが押圧部材９に設けた傾斜リブ９ｂを介して第２付勢部材１０の付勢力（復元力）によって押し上げられることにより、図５に示すように、オーバーカバー１４は、押し込み前の初期位置に復帰する。これにより、次回の揮散を容易に行うことができる。
【００５０】
従って、揮散容器１Ａによれば、揮散剤カプセル２０を適宜破壊して、揮発性内容物Ｍを取り出すことにより、無駄な揮散を防止しつつ、必要なときには簡便に、ある程度の時間継続して揮散を行うことができる。
【００５１】
図８〜１１には、本発明に従う、揮散容器の第２実施形態である、揮散容器１Ｂを示す。以下、揮散容器１Ａと同一の部分は、同一の符号をもって、その説明を省略する。
【００５２】
揮散容器１Ｂでは、図７（ｂ）に示すように、揮散容器１Ａと同様、突起８ａ〜８ｃを備える。ただし、揮散容器１Ｂでは、図示のように、突起８ｂが２箇所に配置されている。また、揮散容器１Ｂでは、図８の拡大図に示すように、１つの突起８ａに膨出部８ｄを有する。揮散容器１Ｂでは、膨出部８ｄは、突起８ａの軸線周りを周回する環状の膨出部として構成されている。
【００５３】
また、揮散容器１Ｂでは、第２案内板６は、本体２の縦壁２ｗと別体に構成されている。すなわち、第２案内板６は、本体２に対して自由に動けるように設けられている。加えて、第２案内板６は、図８の拡大図に示すように、突起８ａ〜８ｃの第２案内板６に対する引っ込み量を制限して第２案内板６に対する初期位置を規定する引っ込み量制限部６ｄと、突起８ａ〜８ｃの第２案内板６に対する突起８ａ〜８ｃの突出量を制限して第２案内板６に対する突起８ａ〜８ｃの最大突出量を制限する最大突出量制限部６ｅとを備える。揮散容器１Ｂでは、引っ込み量制限部６ｄは、突起８ａを膨出部８ｄとともにスライド可能に収容する格納部Ｃの内側に形成された端面で構成されている。また、揮散容器１Ｂでは、最大突出量制限部６ｅは、第２案内板６の背面（接触面６ｆと反対の面）で構成されている。
【００５４】
なお、揮散容器１Ｂも、突起８ｃを第２案内板６に対して予め所定量だけ突出させているが、この突出量（所定量）も、揮散剤カプセル容器１Ｂの用途、揮散剤カプセル２０の大きさや外殻の厚みなどに応じて、適宜、設定することができる。また、このときの突起８ａおよび８ｂについても、その先端部が第２案内板６の接触面６ｆと同一面になるようにしておく等、適宜、設定することができる。さらに、オーバーカバー１４（押圧部材９）を操作して、突起８ａ〜８ｃを第２案内板６から突出させたときの最大突出量についても、揮散容器１Ａと同様、第１案内板３と第２案内板６との間の距離、揮散剤カプセル容器１Ｂの用途、揮散剤カプセル２０の大きさや外殻の厚みなどに応じて、適宜、設定することができる。
【００５５】
次に、図面を参照して、揮散容器１Ｂの使用方法を説明する。
【００５６】
大気中に揮散剤Ｍを揮散させたいときは、揮散容器１Ａと同様、図８に示す初期位置からオーバーカバー１４を矢印に示す方向に押し下げると、ピストン部材７は、揮散容器１Ａと同様、押圧部材９を介してシリンダ２ｓ内に押し込まれる。
【００５７】
すると、揮散容器１Ａと同様、突起８ａ〜８ｃは、第２付勢部材１０の付勢力に抗して第２案内板６から突出しようとする。このとき、揮散容器１Ｂでは、突起８ａ〜８ｃがそれぞれ、第２案内板６に対して、あるいは、第２案内板６とともに移動する。その後、突起８ａ〜８ｃがそれぞれ第２案内板６から所定量だけ突出すると、図９に示すように、突起８ａの膨出部８ｄが最大突出規制部６ｅに接触する。これにより、第２案内板６は完全に、突起８ａ〜８ｃとともに、第１案内板３に向かって移動する。突起８ａ〜８ｃの先端は、第２案内板６の接触面６ｆとともに、揮散剤カプセル２０を第１案内板３の接触面３ｆに押し付けたのち、第１案内板３との間で揮散剤カプセル２０を押し潰して破壊するまで第１案内板３に向かって突出する。これにより、オーバーカバー１４を押し込めば、図９に示すように、第１案内板３と第２案内板６との間に配置された揮散剤カプセル２０を、第２案内板６とともに、突起８ａ〜８ｃの先端で押し潰して破壊することができる。
【００５８】
破壊された揮散剤カプセル２０からは、図９に示すように、揮散容器１Ａと同様、揮散剤Ｍが第２の隙間Ｃ2を通して落下することにより揮散体１１に含浸または載置される。これにより、揮散容器Ｍは、本体２の側壁２ｂに形成された通気孔２ｈおよび切り欠き２ｉを通して、ある程度の時間継続して大気中に揮散させることができる。
【００５９】
このように、揮散容器１Ｂでは、第２案内板６とともに突起８ａ〜８ｃを突出させることにより、第１案内板３と第２案内板６との間に配置された揮散剤カプセル２０を押し潰して破壊することができる。このため、揮散剤カプセル２０から取り出した揮散剤Ｍを不織布などの揮散体１１で保持することで、無駄な揮散を防止しつつ、必要なときには簡便に、ある程度の時間継続して揮散を行うことができる。
【００６０】
特に、揮散容器１Ｂでは、突起８ａ〜８ｃが第２案内板６に対して突出する量を制限した状態で、揮散剤カプセル２０を押し潰して破壊するため、揮散剤カプセル２０をより小さく潰して圧縮することができる。このため、揮散容器１Ｂでは、残渣２０ｒの減容化が図られるとともに揮散剤Ｍの取り出しを、より効果的に行うことができる。
【００６１】
なお、揮散容器１Ｂでは、１つの突起８ａに膨出部８ｄを設けることで、これに対応する引っ込み量制限部６ｄおよび最大突出量制限部６ｅを設けたが、引っ込み量制限部６ｄおよび最大突出量制限部６ｅは、２つ以上の突起８ａで行うこともできる。また、揮散容器１Ｂでは、膨出部８ｄは、環状の膨出部として構成したが、突起８ａの軸線周りに配置された複数の膨出部として構成することもできる。すなわち、膨出部８ｄ、引っ込み量制限部６ｄおよび最大突出量制限部６ｅの構成は、様々に変更することができる。さらに、 揮散容器１Ｂも、揮散容器１Ａと同様、突起８ａ〜８ｃの突出は、図９に示すように、押圧部材９が本体２のシリンダ２ｓの端部に接触するまで行うことができる。これに対し、第１案内板３の移動も、揮散容器１Ａと同様、図９に示すように、ストッパ３ａが固定部５に接触するまで行うことができる。
【００６２】
オーバーカバー１４の押し込みを解除すると、図１０の矢印に示すように、押圧部材９は、第２付勢部材１０の付勢力によって押し込み前の初期位置に向かって移動するため、突起８ａ〜８ｃの引っ込みも併せて開始される。このとき、揮散容器１Ｂでは、突起８ａ〜８ｃがそれぞれ、第２案内板６に対して、あるいは、第２案内板６とともに移動する。その後、突起８ａの膨出部８ｄが引っ込み量制限部６ｅに接触すれば、突起８ａ〜８ｃは第２案内板６に対する初期位置に復帰する。これにより、押し潰しによって生じた揮散剤カプセル２０の残渣２０ｒが突起８ａ〜８ｃに張り付いた場合も、突起８ａ〜８ｃに張り付いた残渣２０ｒは、第２案内板６の接触面６ｆに接触したまま、突起８ａ〜８ｃが第２案内板６に対して引っ込むことで、あるいは、突起８ａ〜８ｃが第２案内板６に対して引っ込んだのち、第２案内板６の接触面６ｆに接触することで、図１１に示すように、突起８ａ〜８ｃから掻き出すことができる。このため、揮散容器１Ｂでも、揮散剤カプセル２０の押し潰しを繰り返して行っても、安定した押し潰しが可能になる。
【００６３】
また、オーバーカバー１４の押し込みが解除されると、第１案内板３は、揮散容器１Ａと同様、第１付勢部材４の付勢力によって押し込み前の初期位置に向かって移動を開始する。このように、オーバーカバー１４の押し込みを解除して、突起８ａ〜８ｃを第２案内板６とともに第２付勢部材１０の付勢力によって押し込み前の初期位置に復帰させるとともに、第１案内板３を第１付勢部材４の付勢力によって押し込み前の初期位置に復帰させれば、第１案内板３の張り出し部３ｃ1と突起９ｃとの間には、図１１に示すように、第１の隙間Ｃ1が形成される。これにより、揮散剤カプセル２０の残渣２０ｒは、第１の隙間Ｃ1を通して落下することで、図１１に示すように、ケース１２に分別回収することができる。ケース１２内に回収された残渣２０ｒも、揮散容器１Ａと同様、本体２からケース１２をスライドさせることにより取り出すことができる。
【００６４】
図１２には、本発明に従う、揮散容器の第３実施形態である、揮散容器１Ｃを示す。揮散容器１Ｃは、揮散容器１Ａの変形例である。揮散容器１Ｃでは、図示のように、第１案内板３の接触面３ｆを、下方に向かうに従って第２案内板６（縦壁２ｗ）の接触面６ｆに向かって傾斜させるように構成するともに、第２案内板６（縦壁２ｗ）の接触面６ｆを、下方に向かうに従って第１案内板３の接触面３ｆに向かって傾斜させるように構成する。すなわち、揮散容器１Ｃでは、第１案内板３の接触面３ｆと第２案内板６（縦壁２ｗ）の接触面６ｆを、互いに平行かつ傾斜するように配置した。このように、少なくとも、第２案内板６（縦壁２ｗ）の接触面６ｆを、下向きに傾斜させれば、突起８ａ〜８ｃに張り付いた揮散剤カプセル２０の残渣２０ｒを、突起８ａ〜８ｃから、より掻き出しやすくできる。
【００６５】
図１３は、本発明に従う、揮散容器の第４実施形態である、揮散容器１Ｄであり、揮散容器１Ｄは、揮散容器１Ｂの変形例である。揮散容器１Ｄでは、図示のように、第１案内板３の接触面３ｆを、下方に向かうに従って第２案内板６の接触面６ｆに向かって傾斜させるように構成するともに、第２案内板６の接触面６ｆを、下方に向かうに従って第１案内板３の接触面３ｆに向かって傾斜させるように構成する。すなわち、揮散容器１Ｄでは、第１案内板３の接触面３ｆと第２案内板６の接触面６ｆを、互いに平行かつ傾斜するように配置した。第１案内板３と第２案内板６を、互いに平行かつ下向きに傾斜するように配置した。このように、少なくとも、第２案内板６の接触面６ｆを、下向きに傾斜させても、突起８ａ〜８ｃに張り付いた揮散剤カプセル２０の残渣２０ｒを、突起８ａ〜８ｃから、より掻き出しやすくできる。
【００６６】
図１４（ａ）〜（ｄ）にはそれぞれ、様々なバリエーションの突起８ａ〜８ｃと、そのレイアウトを示す。たとえば、図１４（ａ）の例では、貫通孔６ａおよび突起８ａが縦長の直線状の形状をして、左右横方向に間隔を置いて、４箇所の位置に配置されている。図１４（ｂ）の例では、貫通孔６ａおよび突起８ａが円形の形状をして、上下左右方向に間隔を置いて、９箇所の位置に菱形状に配置されている。図１４（ｃ）の例では、貫通孔６ａおよび突起８ａが十字形の形状をして、上下左右方向に間隔を置いて、９箇所の位置に菱形状に配置されている。図１４（ｄ）の例では、突起８ａが上下方向に間隔を置いて配置された４つの横長の直線状の部位を縦長の直線状の部位で連結した一体物として構成されており、これに対応するように貫通孔６ａが形成されている。なお、図１４（ａ）〜（ｄ）の例はいずれも、突起８ａの上下には、それぞれ２箇所に、貫通孔６ｂおよび突起８ｂと貫通孔６ｃおよび突起８ｃが配置されている。なお、図１４（ａ）〜（ｄ）の例はいずれも、一箇所のみに例示的に符号を付すことで、図面を簡略化している。
【００６７】
上述したところは、本発明の一実施形態を例示的に示したにすぎず、特許請求の範囲において、種々の変更を加えることができる。例えば、上述のとおり、第２案内板６から突出する突起の形態は、突起８ａ〜８ｃに限定されるものではなく、様々に変更を加えることができる。例えば、突起８ｂおよび８ｃは、シリンダ２ｓの内周面２ｆに沿って湾曲した円弧形状をしているが、これに限定されるものではない。このため、例えば、突起８ａと同様、縦長あるいは横長の突起とすることができる。また、突起８ｂおよび８ｃは、少なくともいずれか一方を省略することができる。また、突起８ａは、同一の形態の突起とすることなく、それぞれ異形にすることもできる。さらに 押圧部材９は、使用者が直接押圧することができる。また、蓋体１３およびオーバーカバー１４はそれぞれ、適宜、省略することができる。各実施形態に採用される各構成は、互いに適宜、付加して又は置き換えることができる。
【産業上の利用可能性】
【００６８】
本発明は、必要なときに、ある程度の時間継続して揮散を行うことを目的とする揮散容器であれば、様々なものに利用することができる。
【符号の説明】
【００６９】
１Ａ  揮散容器（本発明の第１実施形態）
１Ｂ  揮散容器（本発明の第２実施形態）
１Ｃ  揮散容器（本発明の第３実施形態）
１Ｄ  揮散容器（本発明の第４実施形態）
２    本体
２ａ  側壁
２ｂ  側壁
２ｃ  側壁
２ｄ  仕切壁（底壁）
２ｈ  通気孔
２ｉ  切り欠き
２ｗ  縦壁（第２の案内板）
３    第１案内板（第１の案内板）
３ａ  ストッパ
３ｃ  受け部
３ｃ1 張り出し部
３ｆ  接触面
４    第１付勢部材（第１の付勢部材）
５    固定部
６    第２案内板（第２の案内板）
６ａ  貫通孔
６ｂ  貫通孔
６ｃ  貫通孔
６ｄ  引っ込み量制限部
６ｅ  最大突出量制限部
６ｆ  接触面
７    ピストン部材
８ａ  突起
８ｂ  突起
８ｃ  突起
８ｄ  膨出部
９    押圧部材
１０  第２付勢部材（第２の付勢部材）
１１  揮散体（内容物保持部材）
１２  ケース
１３  蓋体
１４  オーバーカバー
２０  揮散剤カプセル（充填カプセル）
Ａ1   開口部
Ａ2   上端開口部
Ｃ    格納部
Ｃ1   第１の隙間
Ｃ2   第２の隙間
Ｍ    揮発性内容物
Ｓ1   収容部
【図１】
2014198587.tif 000003
【図２】
2014198587.tif 000004
【図３】
2014198587.tif 000005
【図４】
2014198587.tif 000006
【図５】
2014198587.tif 000007
【図６】
2014198587.tif 000008
【図７】
2014198587.tif 000009
【図８】
2014198587.tif 000010
【図９】
2014198587.tif 000011
【図１０】
2014198587.tif 000012
【図１１】
2014198587.tif 000013
【図１２】
2014198587.tif 000014
【図１３】
2014198587.tif 000015
【図１４】
2014198587.tif 000016